(57)【要約】【課題】組み立てやすくする。【解決手段】シート検知装置６０は、回転軸５１に設けられてシートを検知する検知レバー５３を有するセンサアクチュエータ５０と、検知レバーの両側で上方から回転軸を受け入れて挿脱可能に支持する１対の受け部と、回転軸の直径より狭い間隔で対向して受け部から回転軸が抜け出るのを防止する１対の突部６２を有するパッチン部１０とを備え、パッチン部は、回転軸を受け部に挿脱するとき１対の突部の接近離間を許容する弾性を有している。【選択図】　　　図５
2004115255.tif 000002
【特許請求の範囲】
【請求項１】
回転軸に設けられてシートを検知する検知レバーを有する検知部材と、
前記検知レバーの両側で上方から前記回転軸を受け入れて挿脱可能に支持する１対の受け部材と、
前記回転軸の直径より狭い間隔で対向して前記受け部材から前記回転軸が抜け出るのを防止する１対の突部を有する抜け止め部材とを備え、
前記抜け止め部材は、前記回転軸を前記受け部材に挿脱するとき前記１対の突部の接近離間を許容する弾性を有していることを特徴とするシート検知装置。
【請求項２】
前記抜け止め部材は、前記受け部材に支持された前記回転軸の径方向の両側に位置して前記径方向に少なくとも一方が弾性変形可能な１対の弾性片を有し、前記弾性片に前記突部を突設してあることを特徴とする請求項１に記載のシート検知装置。
【請求項３】
前記抜け止め部材は、前記検知レバーの両側に１対配設されていることを特徴とする請求項１又は２に記載のシート検知装置。
【請求項４】
前記回転軸の両端部に対向して前記回転軸のスラスト方向への移動を阻止する１対の移動阻止部材を備えたことを特徴とする請求項１又は２に記載のシート検知装置。
【請求項５】
前記回転軸は端部に該回転軸より小径の突起を有し、前記移動阻止部材は前記突起を受け入れる受け入れ部を有していることを特徴とする請求項４に記載のシート検知装置。
【請求項６】
前記突起の先端は、半球形状に形成されていることを特徴とする請求項５に記載のシート検知装置。
【請求項７】
前記１対の移動阻止部材は、互いに対向する対向面に、先端に行くにしたがって互いに離間する傾斜面を各々有していることを特徴とする請求項５に記載のシート検知装置。
【請求項８】
前記受け部材、前記抜け止め部材と前記移動阻止部材を一体で形成している装置フレームはシートを案内するシート搬送路の案内壁を構成し、前記検知レバーは前記案内壁を貫通して前記シート搬送路内に突出していることを特徴とする請求項１に記載のシート検知装置。
【請求項９】
請求項１乃至８のいずれか１項に記載のシート検知装置と、
前記シート検知装置のシート検知情報に基づいてシートを搬送するシート搬送手段と、
を備えたことを特徴とするシート搬送装置。
【請求項１０】
請求項１乃至８のいずれか１項に記載のシート検知装置と、
前記シート検知装置のシート検知情報に基づいてシートを処理するシート処理手段と、
を備えたことを特徴とするシート処理装置。
【発明の詳細な説明】
【０００１】
【発明の属する技術分野】
本発明は、例えば、シート搬送路を移動するシートを検知するシート検知装置と、このシート検知装置を備えてシートの検知装置のシート検知信号に基づいてシートを搬送するシート搬送装置と、シート検知装置を備えてシートの検知装置のシート検知信号に基づいてシートを処理するシート処理装置とに関する。
【０００２】
【従来の技術】
従来、シートを処理するシート処理装置は、シートを搬送するシート搬送装置を有している。そして、シート処理装置、シート搬送装置等は、シートを検知するシート検知装置を備えていることが多い。
【０００３】
シート処理装置には、シートに形成してある画像を読み取る画像読取装置、シートに画像を形成する画像形成装置、あるいはシートに形成してある画像を読み取ってその画像を複写する画像読取装置と画像形成装置との複合機等がある。
【０００４】
画像読取装置には、例えば、ファクシミリ、スキャナ及びこれらの複合機等がある。画像形成装置には、例えば、ファクシミリ、複写機、プリンタ等がある。ファクシミリは、シート（例えば、原稿）の画像を読み取ってその画像を送信し、かつ他のファクシミリから送信されてきた画像をシートに形成するようになっている。このため、ファクシミリは、いわゆる、画像読取装置と画像形成装置との複合機である。また、シートに形成してある画像を読み取ってその画像を複写する複写機も複合機である。
【０００５】
第１の従来例のシート検知装置として、図示していないが、発光素子と受光素子とを有するセンサを備えて、発光素子の光を受光素子が一定時間内に受光すればシート有りと判断し、一定時間内に受光しなければシート無しと判断するようになっているものがある。
【０００６】
第２の従来例のシート検知装置として、図９に示すようなシート検知装置がある（例えば、特許文献１参照）。図９はシート検知装置の分解図である。このシート検知装置２０１は、センサブラケット２０２に形成した支持孔２０３にセンサアクチュエータ２０４の軸２０５を支持させて、通過するシートによってセンサアクチュエータ２０４が矢印Ａ方向に回転することによって、シートを検知するようになっている。
【０００７】
【特許文献１】
ＵＳＰ５４９３４１７号公報（図９）
【０００８】
【発明が解決しようとする課題】
しかし、第１の従来例のシート検知装置は、発光素子と受光素子を有するセンサが一般に高価であるため、コスト高になっていた。
【０００９】
また、第２の従来例のシート検知装置２０１は、センサアクチュエータ２０４をセンサブラッケット２０２に組み込む場合、軸２０５に形成した二方取りの平行面２０６を、センサブラッケット２０２の支持孔２０３の開口部２０７から挿入して、軸２０５を支持孔２０３に支持させて、組み立てていた。このため、第２の従来例のシート検知装置２０１は、組み立て性が悪かった。
【００１０】
本発明は、組み立てやすくしたシート検知装置を提供することを目的としている。
【００１１】
本発明は、シート検知装置を備えてシートを送るシート搬送装置を提供することを目的としている。
【００１２】
本発明は、シート検知装置を備えてシートの処理をするシート処理装置を提供することを目的としている。
【００１３】
【課題を解決するための手段】
上記目的を達成する本発明のシート検知装置は、回転軸に設けられてシートを検知する検知レバーを有する検知部材と、前記検知レバーの両側で上方から前記回転軸を受け入れて挿脱可能に支持する１対の受け部材と、前記回転軸の直径より狭い間隔で対向して前記受け部材から前記回転軸が抜け出るのを防止する１対の突部を有する抜け止め部材とを備え、前記抜け止め部材は、前記回転軸を前記受け部材に挿脱するとき前記１対の突部の接近離間を許容する弾性を有している。
【００１４】
本発明のシート検知装置における、前記抜け止め部材は、前記受け部材に支持された前記回転軸の径方向の両側に位置して前記径方向に少なくとも一方が弾性変形可能な１対の弾性片を有し、前記弾性片に前記突部を突設してある。
【００１５】
本発明のシート検知装置における、前記抜け止め部材は、前記検知レバーの両側に１対配設されている。
【００１６】
本発明のシート検知装置における、前記回転軸の両端部に対向して前記回転軸のスラスト方向への移動を阻止する１対の移動阻止部材を備えている。
【００１７】
本発明のシート検知装置における、前記回転軸は端部に該回転軸より小径の突起を有し、前記移動阻止部材は前記突起を受け入れる受け入れ部を有している。
【００１８】
本発明のシート検知装置における、前記突起の先端は、半球形状に形成されている。
【００１９】
本発明のシート検知装置における、前記１対の移動阻止部材は、互いに対向する対向面に、先端に行くにしたがって互いに離間する傾斜面を各々有している。
【００２０】
本発明のシート検知装置における、前記受け部材、前記抜け止め部材と前記移動阻止部材を一体で形成している装置フレームはシートを案内するシート搬送路の案内壁を構成し、前記検知レバーは前記案内壁を貫通して前記シート搬送路内に突出している。
【００２１】
上記目的を達成するため、本発明のシート搬送装置は、上記いずれか１つのシート検知装置と、前記シート検知装置のシート検知情報に基づいてシートを搬送するシート搬送手段と、を備えている。
【００２２】
上記目的を達成するため、本発明のシート処理装置は、上記いずれか１つのシート検知装置と、前記シート検知装置のシート検知情報に基づいてシートを処理するシート処理手段と、を備えている。
【００２３】
【発明の実施の形態】
本発明の実施形態のシート検知装置と、このシート検知装置を備えてシートを送るシート搬送装置と、シート処理装置を装置本体に備えてシートの処理をするシート処理装置である例えばファクシミリとを図１、図２に基づいて説明する。
【００２４】
なお、シート処理装置には、シートに形成してある画像を読み取る画像読取装置、シートに画像を形成する画像形成装置、あるいはシートに形成してある画像を読み取ってその画像を複写する画像読取装置と画像形成装置との複合機等がある。
【００２５】
画像読取装置には、例えば、ファクシミリ、スキャナ及びこれらの複合機等がある。画像形成装置には、例えば、ファクシミリ、複写機、プリンタ等がある。ファクシミリは、シート（例えば、原稿）の画像を読み取ってその画像を送信し、かつ他のファクシミリから送信されてきた画像をシートに形成するようになっている。このため、ファクシミリは、いわゆる、画像読取装置と画像形成装置との複合機である。また、シートに形成してある画像を読み取ってその画像を複写する複写機も複合機である。
【００２６】
本発明のシート処理装置は、ファクシミリを例にして説明する。このため、本発明の実施形態のシート検知装置は、ファクシミリのシート搬送装置に組み込まれているものとする。
【００２７】
なお、本発明の実施形態のシート検知装置は、ファクシミリのみに組み込まれるものではなく、複写機、スキャナ、プリンタ、およびこれらの複合機等にも組み込まれるようになっている。
【００２８】
図１は、本発明の実施形態のシート検知装置を備えたシート処理装置である例えばファクシミリのシート搬送方向に沿った断面図である。図２は、図１のファクシミリにおける画像読取部のシート搬送方向に沿った断面図である。
【００２９】
ファクシミリ１００は、ファクシミリの装置本体１０１の上部に、画像読取部１０２を備えている。
【００３０】
装置本体１０１は、シートに画像を形成する画像形成部１０３と、画像形成部１０３の下部に位置して画像形成部１０３へ被記録紙であるシートを供給するカセット給紙部１０４とを備えている。
【００３１】
したがって、図１に示すファクシミリは、シートに形成してある画像を画像読取部１０２で読み取って、その画像情報を他のファクシミリに送受信部１２６で送信するようになっている。また、ファクシミリは、他のファクシミリから送られてきた、画像情報を送受信部１２６で受信して、画像形成部１０３でシートに画像を形成するようになっている。さらに、ファクシミリ１００は、画像読取部１０２で画像を読み取った画像情報に基づいて、画像形成部１０３でシートに画像を複写するようになっている。この場合、ファクシミリ１００は、複写機として機能することになる。
【００３２】
なお、以下、画像が形成されるシートを被記録紙と言い、符号をＰとする。また、画像が形成されたシートを原稿と言い、符号をＤとする。
【００３３】
（ファクシミリ装置本体）
図１において、カセット給紙部１０４のピックアップローラ１２８は、カセット１２７内の被記録紙Ｐに下降し接触して、被記録紙をカセット１２７から送り出し、分離ローラ１２９と逆転ローラ１３０とのニップに送り込む。ニップに被記録紙を送り込んだピックアップローラ１２８は、次の被記録紙を送り出すため、上昇して待機する。分離ローラ１２９と逆転ローラ１３０は、ピックアップローラ１２８から受け取った被記録紙を搬送ローラ対１３１に搬送する。このとき、カセット１２７から被記録紙が重なって送り出されるようなことがあると、逆転ローラ１３０が逆転して、重なった被記録紙の下側の被記録紙をカセット１２７に逆送して、分離ローラ１２９が被記録紙を１枚だけ搬送する。
【００３４】
画像形成部１０３の搬送ローラ対１３１は、被記録紙Ｐをレジストローラ対１３２に送る。レジストローラ対１３２は、被記録紙が斜行している場合、真っ直ぐに矯正して感光体ドラム１３３と転写ローラ１３４との間に送り込む。
【００３５】
一方、感光体ドラム１３３は、帯電ローラ１３５によって帯電されて、送受信部１２６で受信された画像情報に基づいてレーザ変調部１３６によって露光され、潜像が形成される。現像器１３７は、潜像をトナー現像して、トナー画像にする。
【００３６】
転写ローラ１３４は、感光体ドラム１３３上のトナー画像を被記録紙に転写して、その被記録紙を定着器１３８に送り込む。定着器１３８は、被記録紙を加熱加圧して被記録紙にトナー画像を定着する。搬送ローラ対１３９と、排出ローラ対１４０は、被記録紙を搬送して、排出トレイ１４１に排出して積載する。
【００３７】
（画像読取部）
画像読取部の構成を説明する。
【００３８】
図２において、画像読取部１０２の原稿台１１１には、原稿Ｄがセットされるようになっている。後述するシート検知装置６０の検知レバー５３は、原稿台１１１にセットされた原稿Ｄを検知するようになっている。ピックアップローラ１１３は、原稿台１１１にセットされた原稿に対して不図示のアクチェータによって接離するようになっている。また、ピックアップローラ１１３は、原稿に接触し、かつ回転することによって原稿を原稿台１１１から画像読取部１０２内に送り込むようになっている。分離ローラ１１４と逆転ローラ１１５は、送り込まれた原稿を協働して１枚ずつに分離して搬送するようになっている。原稿フィードセンサ１１６は、分離された原稿の先端および後端を検知するようになっている。
【００３９】
シート搬送手段である例えば分離ローラ１１４、逆転ローラ１１５は、シート搬送装置１５０を構成している。なお、後述する上流搬送ローラ１１７、下流搬送ローラ１１９もシート搬送手段でありシート搬送装置である。
【００４０】
上流搬送ローラ１１７は、分離された原稿をＵ字状の搬送路であるＵターンパス１１８へ搬送するようになっている。下流搬送ローラ１１９は、Ｕターン後の原稿をＣＩＳで構成したシート処理手段である例えば原稿読取部１２１へ搬送するようになっている。原稿エッジセンサ１２０は、原稿読取部１２１の原稿の読取開始、終了のタイミングを計るため、原稿の先端および後端を検知するようになっている。排紙ローラ１２４は、読み取りの終了した原稿を排紙トレイ１２５に排出するようになっている。
【００４１】
画像読取部の動作を説明する。
【００４２】
ユーザが原稿台１１１に原稿をセットして読取開始を指示すると、不図示の駆動モータにより、ピックアップローラ１１３、分離ローラ１１４、逆転ローラ１１５、上流搬送ローラ１１７、下流搬送ローラ１１９、及び排紙ローラ１２４が回転する。
【００４３】
ピックアップローラ１１３は、原稿に当接して原稿を画像読取部１０２の内部へ送り込む。分離ローラ１１４と逆転ローラ１１５は、原稿を受け取って搬送する。このとき、原稿が重なっていると、逆転ローラ１１５が逆転して、重なっている下側のシートを原稿台１１１に逆送して、分離ローラ１１４が正転して、重なっている上側のシートを１枚だけ上流搬送ローラ１１７へ搬送する。このとき、分離ローラ１１４の原稿搬送速度は、分離ローラ１１４と逆転ローラ１１５とが原稿を分離するとき、原稿に傷を付けないようにするため、及び、逆転ローラ１１５により原稿が搬送抵抗を受けるため、画像読取部全体の設定した原稿搬送速度よりも遅く設定してある。
【００４４】
原稿フィードセンサ１１６が原稿の先端を検知すると、ピックアップローラ１１３による原稿搬送が解除される。分離ローラ１１４と逆転ローラ１１５とによって分離された原稿は、設定した原稿搬送速度よりも速い周速で回転する上流搬送ローラ１１７によってＵターンパス１１８へ搬送される。上流搬送ローラ１１７の周速は、あらかじめ分離ローラ１１４と逆転ローラ１１５とでの遅れを相殺する速度に設定してある。このため、上流搬送ローラ１１７は、分離ローラ１１４と逆転ローラ１１５とでの遅れを取り戻して、略設定した原稿搬送速度で原稿を下流搬送ローラ１１９へ搬送する。
【００４５】
下流搬送ローラ１１９は、略設定した原稿搬送速度の周速で回転して、原稿を原稿読取部１２１へ搬送する。原稿エッジセンサ１２０が原稿の先端を検知すると、原稿エッジセンサ１２０から所定量搬送したところで原稿読取部１２１が原稿の読み取りを開始する。このときも原稿は、略設定した原稿搬送速度で搬送されている。
【００４６】
排紙ローラ１２４の周速は、設定した原稿搬送速度よりも僅かに速く設定してある。また、排紙ローラ１２４の搬送力は、下流搬送ローラ１１９よりも弱く設定してある。排紙ローラ１２４での原稿搬送が開始されると、下流搬送ローラ１１９と排紙ローラ１２４との僅かな周速差で原稿にテンションがかかり、原稿読取部１２１での読取にもっとも適した位置を原稿が搬送される。また、下流搬送ローラ１１９と排紙ローラ１２４での周速差が僅かであり、かつ、排紙ローラ１２４の搬送力は下流搬送ローラ１１９よりも弱く設定してあるので、原稿は略設定した原稿搬送速度で搬送される。原稿エッジセンサ１２０が原稿の後端を検知すると、原稿エッジセンサ１２０から所定量搬送したところで原稿読取部１２１は原稿の読み取りを終了する。
【００４７】
その後、原稿台１１１に原稿が複数枚セットされたときのピックアップローラ１１３によるピックアップ動作は、原稿台１１１に原稿が複数枚セットされてシート検知装置６０の検知レバー５３が原稿を検知し、かつ原稿フィードセンサ１１６が原稿を検知していないときにおいて、ピックアップローラ１１３が原稿から離れた待機位置から不図示のアクチュエータによって、原稿に当接して回転することによって、行われる。このピックアップ動作は、原稿フィードセンサ１１６が原稿の後端を検知すると、繰り返される。
【００４８】
以上の一連の読み取り動作は、シート検知装置６０の検知レバー５３が原稿を検知しなくなると終了する。
【００４９】
（シート検知装置）
本発明の実施形態のシート検知装置を図３乃至図８に基づいて説明する。
【００５０】
シート検知装置６０は、回転軸５１に設けられてシートである例えば原稿を検知する検知レバー５３を有する検知部材である例えばセンサアクチュエータ５０と、検知レバー５３の両側で上方から回転軸５１を受け入れて挿脱可能に支持する１対の受け部材である例えば受け部２０と、回転軸５１の直径より狭い間隔で対向して受け部２０から回転軸５１が抜け出るのを防止する１対の突部６２を有する抜け止め部材である例えばパッチン部１０と、回転軸５１の両端部に対向して回転軸５１のスラスト方向への移動を阻止する１対の移動阻止部材である例えば抜け止めリブ３０等を備えている。なお、抜け止めリブ３０は必ずしも必要としない。その理由は、回転軸５１がスラスト方向に移動したとき、受け部２０の配置によっては、受け部２０によって検知レバー５３を受け止めて回転軸５１の移動を阻止することができるからである。また、回転軸５１のスラスト方向への移動は、検知レバーが貫通しているフレーム１の抜き孔３によって規制するようにしてもよい。
【００５１】
パッチン部１０は１対配設してあるが、片側だけであってもよい。しかし、パッチン部１０は１対あった方が、受け部２０から回転軸５１が抜けるのを確実に阻止することができる。
【００５２】
図３、図７に示す、センサアクチュエータ５０は、回転軸５１、検知レバー５３、センサ遮蔽部５４、突き当て部４、ボス５２等で形成されている。検知レバー５３、センサ遮蔽部５４、及び突き当て部４は、回転軸５１の中間部分に設けてある。突起である例えばボス５２は、回転軸５１の両端部に回転軸５１より小径にして突設してある。ボス５２の先端は半球形状に形成してある。センサ遮断部５４は、検知レバー５３の状態（位置）により原稿の有無をセンサ５が検知できるように回転軸５１に設けてあり、回転軸５１を中心に回動するようになっている。
【００５３】
センサアクチュエータ５０は、検知レバー５３に原稿が当接したとき、回転軸５１を中心に回転するようになっている。すなわち、回転軸５１、検知レバー５３、センサ遮蔽部５４、突き当て部４、及びボス５２が一体に回動するようになっている。図３に示すように、フレーム１には、突き当て部４を受け止めてセンサアクチュエータ５０の待機位置（角度）を決める被突き当て部５５を突設してある。
【００５４】
フレーム１には、支持部２と抜け止めリブ３０を一体で形成してある。支持部２は、撓み可能（弾性変形可能）なパッチン部１０と受け部２０とで構成されている。装置フレームである例えばフレーム１に形成した抜き孔３は、検知レバー５３が貫通する孔である。フレーム１は、図２に示す画像読取部１０２のシート案内路である例えば原稿案内路６１の案内壁１ａの一部を形成している。
【００５５】
支持部２は抜き孔３の両側に設けてある。センサアクチュエータ５０のスラスト方向の位置を決める抜け止めリブ３０は抜き孔３に対して支持部２の外側に設けてある。
【００５６】
図６に示す受け部２０には、回転軸５１の直径寸法と略同じ寸法の幅にガイド溝２２を形成してある。ガイド溝２２の入り口には、センサアクチュエータ５０の回転軸５１を組み込みやすくするため、回転軸５１の案内面となる面取り部２１を形成してある。ガイド溝２２の底には、回転軸５１の径と略同径の半円形状の下ガイド２３を形成してある。下ガイド２３は、回転軸５１を受け止める部分である。
【００５７】
パッチン部１０は、突部６２を突設されて回転軸５１の径方向（矢印方向）に弾性変形可能な弾性片６３を１対有している。なお、１対の弾性片６３は、少なくとも一方が弾性変形するようになっていればよい。１対の弾性片６３の先端には、センサアクチュエータ５０の回転軸５１を組み込みやすくするため、回転軸５１の案内面となる面取り部１１を形成してある。
【００５８】
１対の突部６２は、前述したように、回転軸５１の直径より狭い間隔で対向して受け部２０から回転軸５１が抜け出るのを防止するようになっている。１対の突部６２の下面６２ａ，６２ａと受け部２０の下ガイド２３は、回転軸５１と同径の嵌合円を形成して、センサアクチュエータ５０の回転軸５１の位置を決めている。
【００５９】
１対の抜け止めリブ３０は、図４に示すように、互いに対向する対向面に、先端に行くにしたがって互いに離間する傾斜面である面取り部３１を各々有している。１対の抜け止めリブ３０は、少なくとも一方が弾性変形するようになっていればよい。面取り部３１は、センサアクチュエータ５０の回転軸５１およびボス５２を組み込みやすくするため形成してある。抜け止めリブ３０には、ボス５２の径より大きく回転軸５１の径より小さい受け入れ部である例えば抜き部３２（図６参照）を形成してある。抜き部３２は、支持部２にセンサアクチュエータ５０を組み込んだ後、センサアクチュエータ５０に負荷がかかった状態でもボス５２が引っ掛かるため、回転軸５１が支持部２から外れるのを防止して正規の位置に保持する役目をしている。
【００６０】
センサアクチュエータ５０を支持部２に組み込む動作を説明する。
【００６１】
センサアクチュエータ５０を支持部２に上方から押し込む。このとき、センサアクチュエータ５０の回転軸５１は、受け部２０の面取り部２１、パッチン部１０の面取り部１１に案内されて受け部２０の下ガイド２３に挿入されるとともに、パッチン部１０の突部６２を一旦押しのけて、１対の弾性片６３の間に挿入される。また、回転軸５１の両端は、１対の抜け止めリブ３０の面取り部３１に案内されて、１対の抜け止めリブ３０が互いに離間する方向に弾性変形した後、ボス５２が抜き部３２に進入する。
【００６２】
この結果、回転軸５１は、受け部２０の下ガイド２３に支持される。また、回転軸５１は、突部６２と、抜き部３２によって上方への移動が阻止される。さらに、回転軸５１は、１対の抜け止めリブ３０，３０によって、スラスト方向への移動を阻止される。これによって、回転軸５１が位置ずれすることなく回転して、センサアクチュエータ５０の検知動作の精度を高めることができる。
【００６３】
なお、センサアクチェータ５０は、回転したとき、センサ遮断部５４がセンサ５をＯＮ／ＯＦＦ動作させるようになっている。
【００６４】
図３に基づいて、シート検知装置６０のシート検知動作を説明する。
【００６５】
フレーム１は、前述したように、図２に示す原稿案内路６１の上ガイドである案内壁１ａの一部を構成している。原稿Ｄは、矢印方向に搬送される。案内壁１ａと、案内壁１ａに対向するシート搬送下ガイド７とによって、原稿案内路６１を形成されている。
【００６６】
図３（ａ）に示すように、センサ５の発光・受光部６がセンサ遮断部５４により遮断されて、センサ５がＯＦＦ状態になると、シート検知装置６０は原稿無しを検知している状態になる。
【００６７】
図３（ｂ）に示すように、図１、図２に示すピックアップローラ１１３により原稿Ｄが搬送されて、検知レバー５３が回動され、同時にセンサ遮断部５４も回動し、発光・受光部６がオープンになって、センサ５がＯＮ状態になると、シート検知装置６０は原稿有りを検知している状態になる。
【００６８】
なお、本実施形態のシート検知装置は、センサ５がＯＦＦ状態になると原稿無し、センサ５がＯＮ状態になると原稿有りを検知するようにセンサアクチュエータ５０を構成したが、センサ５がＯＦＦ状態になると原稿有りを検知し、センサ５がＯＮ状態になると原稿無しを検知するようにセンサアクチュエータ５０を構成してもよい。
【００６９】
本実施形態のシート検知装置６０は、画像読取部１０２の原稿が挿入される入口に設けてあるが、図２に示す原稿フィードセンサ１１６、原稿エッジセンサ１２０の変わりに設けてもよい。また、シート検知装置６０は、画像読取部１０２のみならず、画像形成部１０３やカセット給紙部１０４に設けてもよい。
【００７０】
以上説明したように、本実施形態のシート検知装置６０は、原稿が当接して回動する検知レバー５３を有するセンサアクチュエータ５０と、センサアクチュエータ５０を回動自在に支持する支持部２と、抜け止めリブ３０とをフレーム１に一体に備え、支持部２を検知レバー５３の両側に配置した構成になっている。そして、支持部２は、撓み可能なパッチン部１０と受け部２０とで構成されて、センサアクチュエータ５０の回転軸５１を嵌合保持するようになっている。
【００７１】
このような構成によって、本実施形態のシート検知装置６０は、センサアクチュエータ５０の回転軸５１を支持部２にパッチン嵌合するだけで組み立てることができるので、組み立てやすくなって、組み立て性を向上させることができる。
【００７２】
また、本実施形態のシート検知装置６０は、パッチン部１０の突部６２を弾性片６３に突設してあるので、センサアクチュエータ５０をパッチン部１０に組み込みやすく、かつ通常の使用状態では回転軸５１が外れるようなことがないが、センサアクチュエータ５０を交換するときには、容易に回転軸５１を外すことができる。
【００７３】
また、本実施形態のシート検知装置６０は、センサアクチュエータ５０の回転軸５１の両端部にボス５２を突設して、支持部２の外側（アクチュエータの外側）に抜け止めリブ３０をフレーム１と一体にして設け、抜け止めリブ３０のボス５２を組み付ける部分にボス５２の径より大きく回転軸５１より小さい凹部または孔からなる抜き部３２を設けたことによって、センサアクチュエータ５０に負荷がかかった状態でも支持部２から外れることなく正規の検知性能を発揮することができる。
【００７４】
また、ボス５２の先端を半球形状にしてあるので、センサアクチュエータ５０を抜け止めリブ３０に組み込みやすくなっている。さらに、抜け止めリブ３０に面取り部３１を形成してあるので、センサアクチュエータ５０を抜け止めリブ３０により一層組み込みやすくなっている。
【００７５】
また、シート検知装置６０は、支持部２や抜け止めリブ３０を設けてあるフレーム１を原稿案内路６１と兼用してあるので、無駄な部品を作ることなくシート検知装置６０と画像読取部１０２との構成を簡単にして、シート検知装置６０と画像読取部１０２とのコストを下げることができる。
【００７６】
【発明の効果】
本発明のシート検知装置は、検知部材を１対の受け部材と弾性を有する抜け止め部材とに装着して組み込むようになっているので、組み立てやすくなって、組み立て性を向上させることができる。
【００７７】
本発明のシート検知装置は、抜け止め部材の突部を弾性変形可能な弾性片に突設してあるため、検知部材を抜け止め部材に組み込みやすく、かつ使用状態では検知部材の回転軸が外れるようなことがないが、検知部材を交換するときには、容易に回転軸を外すことができて、検知部材の着脱性を向上させることができる。
【００７８】
本発明のシート検知装置は、回転軸の両端に移動阻止部材を対向させており、検知部材が回転軸のスラスト方向へ移動するのを阻止して、シートを確実に検知することができる。
【００７９】
本発明のシート検知装置は、回転軸の端部に回転軸より小径の突起を有し、移動阻止片に突起を受け入れる受け入れ部を有しているため、検知部材に負荷がかかった状態でも受け部材や抜け止め部材から外れることなく正規の検知性能を発揮することができる。
【００８０】
本発明のシート検知装置は、突部の先端を半球形状にしているため、移動阻止部材に対する検知部材の組み立て性を向上させることができる。
【００８１】
本発明のシート検知装置は、移動阻止部材に傾斜面を設けているため、移動阻止部材に対する検知部材の組み立て性を向上させることができる。
【００８２】
本発明のシート検知装置は、装置フレームを、シートを案内するシート搬送路の案内壁と兼用しており、シート検知装置の構成を簡単にしてコストを下げることができる。
【図面の簡単な説明】
【図１】本発明の実施形態のシート検知装置を備えたシート処理装置である例えばファクシミリのシート搬送方向に沿った断面図である。
【図２】図１のファクシミリにおける画像読取部のシート搬送方向に沿った断面図である。
【図３】本発明の実施形態におけるシート検知装置の正面図であり、軸を支持する部分を省略した図である。
（ａ）　シート検知装置がシートを検知していない状態の図である。
（ｂ）　シート検知装置がシートを検知している状態の図である。
【図４】図３のシート検知装置をシート搬送方向から見た図である。
【図５】センサを省略したシート検知装置の平面図である。
【図６】シート検知装置の各部の正面図である。
（ａ）　受け部の正面図である。
（ｂ）　パッチン部の正面図である。
（ｃ）　抜け止めリブの正面図である。
【図７】センサアクチュエータの図である。
（ａ）　センサアクチュエータの平面図である。
（ｂ）　センサアクチュエータの正面図である。
【図８】フレームの平面図であり、センサアクチュエータを支持する部分であるパッチン部、受け部、抜け止めリブの平面図である。
【図９】従来のシート検知装置の斜視図である。
【符号の説明】
Ｐ　　　被記録紙（シート）
Ｄ　　　原稿（シート）
１　　　フレーム（装置フレーム）
２　　　支持部
３　　　抜き孔
５　　　センサ
７　　　シート搬送下ガイド
１０　　　パッチン部（抜け止め部材）
１１　　　面取り部
２０　　　受け部（受け部材）
２１　　　面取り部
２２　　　ガイド溝
２３　　　下ガイド
３０　　　抜け止めリブ（移動阻止部材）
３１　　　面取り部（傾斜面）
３２　　　抜き部（受け入れ部）
５０　　　センサアクチュエータ（検知部材）
５１　　　回転軸
５２　　　ボス（突起）
５３　　　検知レバー
６０　　　シート検知装置
６１　　　原稿案内路（シート案内路）
６１ａ　　案内壁
６２　　　突部
６２ａ　　突部の下面
６３　　　弾性片
１００　　　ファクシミリ（シート処理装置）
１１４　　　分離ローラ（シート搬送手段）
１１５　　　逆転ローラ（シート搬送手段）
１２１　　　原稿読取部（シート処理手段）
１５０　　　シート搬送装置
【図１】
2004115255.tif 000003
【図２】
2004115255.tif 000004
【図３】
2004115255.tif 000005
【図４】
2004115255.tif 000006
【図５】
2004115255.tif 000007
【図６】
2004115255.tif 000008
【図７】
2004115255.tif 000009
【図８】
2004115255.tif 000010
【図９】
2004115255.tif 000011